(57)【要約】【課題】精度の高い温室効果ガス排出量を算出できる印刷装置を提供する。【解決手段】印刷装置１は、用紙に印刷を行って印刷物を作製する印刷部３と、印刷装置１の使用によるＣＯ２排出量を算出するＣＯ２排出量算出部３３とを備え、印刷装置１の使用によるＣＯ２排出量は、印刷装置１の電力消費によるＣＯ２排出量、印刷物に関する消耗品の消費量に対応するＣＯ２排出量に加えて、印刷物に関する消耗品の輸送によるＣＯ２排出量、および、作製された印刷物の輸送によるＣＯ２排出量の少なくともいずれか一方を含む。【選択図】図１
2013151076.tif 000002
【特許請求の範囲】
【請求項１】
印刷媒体に印刷を行って印刷物を作製する印刷部と、
本印刷装置の使用による温室効果ガス排出量を算出する温室効果ガス排出量算出部とを備え、
前記本印刷装置の使用による温室効果ガス排出量は、本印刷装置の電力消費による温室効果ガス排出量、印刷物に関する消耗品の消費量に対応する温室効果ガス排出量に加えて、印刷物に関する消耗品の輸送による温室効果ガス排出量、および、作製された印刷物の輸送による温室効果ガス排出量の少なくともいずれか一方を含むことを特徴とする印刷装置。
【請求項２】
前記印刷物の輸送による温室効果ガス排出量は、印刷物の納品のための輸送による温室効果ガス排出量と、印刷物の廃棄のための輸送による温室効果ガス排出量とを含むことを特徴とする請求項１に記載の印刷装置。
【請求項３】
前記温室効果ガス排出量算出部は、印刷物の所定単位あたりの前記本印刷装置の使用による温室効果ガス排出量を算出し、
前記印刷部は、前記印刷物の所定単位あたりの前記本印刷装置の使用による温室効果ガス排出量を示す情報を印刷データに付加して印刷媒体に印刷することを特徴とする請求項１または２に記載の印刷装置。
【発明の詳細な説明】
【技術分野】
【０００１】
本発明は、印刷媒体に印刷を行う印刷装置に関する。
【背景技術】
【０００２】
近年、環境意識の高まりにより、印刷装置におけるＣＯ２（二酸化炭素）等の温室効果ガスの排出量をユーザが認識可能にする要求がある。そこで、印刷装置におけるＣＯ２排出量を算出する技術が提案されている。
【０００３】
例えば、特許文献１には、印刷装置の使用による消費電力をＣＯ２排出量に換算し、用紙等の消耗品の消費量からＣＯ２排出量を求め、各ＣＯ２排出量の合計を印刷装置のＣＯ２排出量として算出する技術が開示されている。
【先行技術文献】
【特許文献】
【０００４】
【特許文献１】特開２００２−６６９６号公報
【発明の概要】
【発明が解決しようとする課題】
【０００５】
しかしながら、特許文献１の技術では、算出されるＣＯ２排出量が、電力消費によるＣＯ２排出量と消耗品の消費によるＣＯ２排出量とに限られている。ユーザの環境意識の向上をより促すためには、より精度の高いＣＯ２排出量を算出することが望ましい。
【０００６】
本発明は上記に鑑みてなされたもので、精度の高い温室効果ガス排出量を算出できる印刷装置を提供することを目的とする。
【課題を解決するための手段】
【０００７】
上記目的を達成するため、本発明に係る印刷装置の第１の特徴は、印刷媒体に印刷を行って印刷物を作製する印刷部と、本印刷装置の使用による温室効果ガス排出量を算出する温室効果ガス排出量算出部とを備え、前記本印刷装置の使用による温室効果ガス排出量は、本印刷装置の電力消費による温室効果ガス排出量、印刷物に関する消耗品の消費量に対応する温室効果ガス排出量に加えて、印刷物に関する消耗品の輸送による温室効果ガス排出量、および、作製された印刷物の輸送による温室効果ガス排出量の少なくともいずれか一方を含むことにある。
【０００８】
本発明に係る印刷装置の第２の特徴は、前記印刷物の輸送による温室効果ガス排出量は、印刷物の納品のための輸送による温室効果ガス排出量と、印刷物の廃棄のための輸送による温室効果ガス排出量とを含むことにある。
【０００９】
本発明に係る印刷装置の第３の特徴は、前記温室効果ガス排出量算出部は、印刷物の所定単位あたりの前記本印刷装置の使用による温室効果ガス排出量を算出し、前記印刷部は、前記印刷物の所定単位あたりの前記本印刷装置の使用による温室効果ガス排出量を示す情報を印刷データに付加して印刷媒体に印刷することにある。
【発明の効果】
【００１０】
本発明に係る印刷装置の第１の特徴によれば、印刷装置の使用による温室効果ガス排出量は、印刷物に関する消耗品の輸送による温室効果ガス排出量、および、作製された印刷物の輸送による温室効果ガス排出量の少なくともいずれか一方を含む。これにより、印刷装置の使用による温室効果ガス排出量として、輸送に関する温室効果ガス排出量も考慮した精度の高い温室効果ガス排出量を算出できる。
【００１１】
本発明に係る印刷装置の第２の特徴によれば、印刷物の輸送による温室効果ガス排出量は、印刷物の納品のための輸送による温室効果ガス排出量と、印刷物の廃棄のための輸送による温室効果ガス排出量とを含む。これにより、印刷装置の使用による温室効果ガス排出量として、印刷物の使用後の廃棄の段階まで考慮した温室効果ガス排出量を算出できる。
【００１２】
本発明に係る印刷装置の第３の特徴によれば、温室効果ガス排出量を示す情報を印刷媒体に印刷することで、容易にユーザに温室効果ガス排出量を認識させることができる。
【図面の簡単な説明】
【００１３】
【図１】実施の形態に係る印刷装置の構成を示すブロック図である。
【図２】インク消費係数テーブルの一例を示す図である。
【図３】用紙消費係数テーブルの一例を示す図である。
【図４】用紙輸送係数テーブルの一例を示す図である。
【図５】印刷物輸送係数テーブルの一例を示す図である。
【図６】図１に示す印刷装置の動作を説明するためのフローチャートである。
【発明を実施するための形態】
【００１４】
以下、本発明の実施の形態について、図面を参照して説明する。
【００１５】
図１は、本発明の実施の形態に係る印刷装置の構成を示すブロック図である。図１に示すように、印刷装置１は、搬送部２と、印刷部３と、記憶部４と、操作パネル部５と、電力供給部６と、制御部７とを備える。
【００１６】
搬送部２は、印刷媒体である用紙を給紙台から取り出し、排紙台に排紙するまで搬送経路に沿って搬送する。
【００１７】
印刷部３は、搬送部２により搬送経路に沿って搬送される用紙に印刷を行い、印刷物を作製する。印刷部３は、用紙の搬送方向と略直交する方向に複数のノズルが配列されたラインタイプの４つのインクジェットヘッド（図示せず）を有する。印刷部３は、搬送部２により搬送される用紙にインクジェットヘッドからインクを吐出して画像を印刷する。４つのインクジェットヘッドは、互いに異なる色（シアン、マゼンタ、イエロー、ブラック）のインクを吐出する。これにより、カラー印刷が可能になっている。
【００１８】
記憶部４は、ＨＤＤ（Hard Disk Drive）等からなる。記憶部４は、温室効果ガスであるＣＯ２排出量の算出に用いられる各種テーブル等を予め記憶している。
【００１９】
具体的には、記憶部４は、図２に示すようなインク消費係数テーブル１１を記憶している。インク消費係数テーブル１１は、印刷物に関する消耗品であるインクの消費量に対応するＣＯ２排出量Ｅｃ１を算出するためのインク消費係数Ｋｃ１（ｇ‐ＣＯ２／ｇ）の値を、印刷部３で使用される各色のインクについて保持するものである。インク消費係数Ｋｃ１は、インク容器を含むインクの生産において発生したＣＯ２排出量の、インクの単位重量あたりの値である。
【００２０】
また、記憶部４は、図３に示すような用紙消費係数テーブル１２を記憶している。用紙消費係数テーブル１２は、印刷物に関する消耗品である用紙の消費量に対応するＣＯ２排出量Ｅｃ２を算出するための用紙消費係数Ｋｃ２（ｇ‐ＣＯ２／枚）の値を、用紙の種類およびサイズごとに保持するものである。用紙消費係数Ｋｃ２は、用紙１枚あたりの生産において発生したＣＯ２排出量に相当する値である。
【００２１】
また、記憶部４は、インクの輸送によるＣＯ２排出量Ｅｔ１を算出するためのインク輸送係数Ｋｔ１（ｇ‐ＣＯ２／ｇ）の値を記憶している。ここで、各色のインクの比重は同等であるとする。インク輸送係数Ｋｔ１は、印刷装置１が設置された場所と当該場所へのインクの納入元の倉庫との間の、インク容器を含むインクの輸送によるＣＯ２排出量の、インクの単位重量あたりの値である。印刷装置１は、例えば、印刷業者の事業所に設置される。本実施の形態において、印刷装置１が設置された場所は印刷業者の事業所であるとする。インク輸送係数Ｋｔ１は、例えば、燃料法、燃費法、改良トンキロ法等を用いて予め算出される。
【００２２】
また、記憶部４は、図４に示すような用紙輸送係数テーブル１３を記憶している。用紙輸送係数テーブル１３は、用紙の輸送によるＣＯ２排出量Ｅｔ２を算出するための用紙輸送係数Ｋｔ２（ｇ‐ＣＯ２／枚）の値を、用紙の種類およびサイズごとに保持するものである。用紙輸送係数Ｋｔ２は、印刷装置１が設置された印刷業者の事業所と当該事業所への用紙の納入元の倉庫との間の用紙の輸送によるＣＯ２排出量の、用紙１枚あたりの値である。用紙輸送係数Ｋｔ２は、例えば、燃料法、燃費法、改良トンキロ法等を用いて予め算出される。
【００２３】
また、記憶部４は、図５に示すような印刷物輸送係数テーブル１４を記憶している。印刷物輸送係数テーブル１４は、用紙に印刷された印刷物の輸送によるＣＯ２排出量を算出するための印刷物納品輸送係数Ｋｔ３（ｇ‐ＣＯ２／枚）および印刷物廃棄輸送係数Ｋｔ４（ｇ‐ＣＯ２／枚）の値を保持するものである。印刷物納品輸送係数Ｋｔ３は、印刷装置１が設置された印刷業者が作製した印刷物を顧客に納品するための輸送によるＣＯ２排出量Ｅｔ３を算出するためのものである。印刷物納品輸送係数Ｋｔ３は、印刷業者の事業所と顧客の事業所との間の輸送によるＣＯ２排出量の、用紙１枚あたりの値である。印刷物廃棄輸送係数Ｋｔ４は、印刷物が納品された印刷業者の顧客が印刷物を廃棄するための輸送によるＣＯ２排出量Ｅｔ４を算出するためのものである。印刷物廃棄輸送係数Ｋｔ４は、例えば、顧客の事業所と当該事業所の所在地域における廃棄物中間処理場との間の輸送によるＣＯ２排出量の、用紙１枚あたりの値である。印刷物輸送係数テーブル１４は、用紙の種類およびサイズごとの印刷物納品輸送係数Ｋｔ３および印刷物廃棄輸送係数Ｋｔ４の値を、顧客ごとに保持している。印刷物納品輸送係数Ｋｔ３および印刷物廃棄輸送係数Ｋｔ４は、例えば、燃料法、燃費法、改良トンキロ法等を用いて予め算出される。
【００２４】
また、記憶部４は、設置時からの印刷装置１の使用によるＣＯ２排出量の累積値を記憶する。また、記憶部４は、所定の集計期間（例えば、１ヶ月）ごとの印刷装置１の使用によるＣＯ２排出量を記憶する。
【００２５】
操作パネル部５は、ユーザの入力操作を受け付けるとともに、各種の情報等を表示するものである。操作パネル部５は、入力部２１と、表示部２２とを備える。
【００２６】
入力部２１は、ユーザによる入力操作を受け付け、操作に応じた操作信号を出力する。入力部２１は、操作ボタン、タッチパネル等を有する。
【００２７】
表示部２２は、各種の情報等を表示するものである。表示部２２は、液晶表示パネル等からなる。
【００２８】
電力供給部６は、印刷装置１の各部を動作させるための電力を各部に供給する。
【００２９】
制御部７は、印刷装置１全体の動作を制御する。制御部７は、ＣＰＵ、ＲＡＭ、ＲＯＭ等を備えて構成される。ＣＰＵがプログラムを実行すること等により、搬送制御部３１、印刷制御部３２、ＣＯ２排出量算出部３３、電力制御部３４の機能が実現される。
【００３０】
搬送制御部３１は、印刷動作時に搬送部２を制御して、用紙を搬送経路に沿って搬送させる。
【００３１】
印刷制御部３２は、印刷部３を制御して、搬送部２により搬送される用紙に画像を印刷させる。
【００３２】
ＣＯ２排出量算出部３３は、印刷装置１の使用によるＣＯ２排出量を算出する。具体的には、ＣＯ２排出量算出部３３は、印刷ジョブごとに、以下の式（１）で表される印刷装置１の使用によるＣＯ２排出量Ｅｕ（ｇ‐ＣＯ２）を算出する。
【００３３】
Ｅｕ＝Ｅｐ＋Ｅｃ１＋Ｅｃ２＋Ｅｔ１＋Ｅｔ２＋Ｅｔ３＋Ｅｔ４  …（１）
ここで、Ｅｐは印刷装置１の電力消費によるＣＯ２排出量、Ｅｃ１はインクの消費量に対応するＣＯ２排出量、Ｅｃ２は用紙の消費量に対応するＣＯ２排出量、Ｅｔ１はインクの輸送によるＣＯ２排出量、Ｅｔ２は用紙の輸送によるＣＯ２排出量、Ｅｔ３は印刷物を顧客に納品するための輸送によるＣＯ２排出量、Ｅｔ４は印刷物を廃棄するための輸送によるＣＯ２排出量である。
【００３４】
電力制御部３４は、電力供給部６を制御する。例えば、印刷装置１が所定時間以上、印刷動作を行っていない場合、電力制御部３４は、電力供給部６を制御して、印刷装置１を通常電力状態（スタンバイ状態）から省電力状態（スリープ状態）へと移行させる。
【００３５】
次に、印刷装置１の動作について説明する。
【００３６】
図６は、印刷装置１の動作を説明するためのフローチャートである。
【００３７】
外部のＰＣ（パーソナルコンピュータ）から印刷ジョブが入力されると、図６のステップＳ１０において、ＣＯ２排出量算出部３３は、ＣＯ２排出量情報を用紙に印刷する設定であるか否かを判断する。ＣＯ２排出量情報は、印刷物の所定単位あたり（例えば、１枚あたり）の、印刷装置１の使用によるＣＯ２排出量を示す情報である。ＣＯ２排出量情報を用紙に印刷するか否か、および上記所定単位は、例えば、ユーザがＰＣのプリンタドライバ上で設定できる。
【００３８】
ＣＯ２排出量情報を印刷する設定であると判断した場合（ステップＳ１０：ＹＥＳ）、ステップＳ２０において、ＣＯ２排出量算出部３３は、ＣＯ２排出量情報を印刷する場合の、印刷ジョブにおける印刷装置１の使用によるＣＯ２排出量Ｅｕを算出する。
【００３９】
具体的には、まず、ＣＯ２排出量算出部３３は、印刷ジョブにおける印刷装置１の消費電力量Ｗを算出する。
【００４０】
印刷ジョブにおける印刷装置１の消費電力量Ｗには、搬送部２での用紙搬送による消費電力量が含まれる。ＣＯ２排出量算出部３３は、印刷ジョブにおける印刷枚数、設定搬送速度等から、用紙搬送による消費電力量を算出する。
【００４１】
また、印刷ジョブにおける消費電力量Ｗには、印刷部３の駆動による消費電力量が含まれる。ＣＯ２排出量算出部３３は、印刷部３のインクジェットヘッドの駆動電圧、印刷ジョブにおける各ページの各色の印字率等から、印刷部３の駆動による消費電力量を算出する。ここで、印字率は、ＣＯ２排出量情報を付加して印刷する場合の印字率である。
【００４２】
また、印刷ジョブにおける消費電力量Ｗには、前回実行された印刷ジョブ終了後の印刷装置１の待機時の消費電力量も含むものとする。待機時の消費電力量には、通常電力状態（スタンバイ状態）における消費電力量および省電力状態（スリープ状態）における消費電力量が含まれる。
【００４３】
また、印刷ジョブにおける消費電力量Ｗには、印刷部３のインクジェットヘッドのメンテナンス動作による消費電力量も含むものとする。メンテナンス動作は、印刷装置１が印刷動作を行っていないときに、インクジェットヘッドのノズルからインクを押し出したり、印字を目的としない吐出を行ったりする動作である。メンテナンス動作は、所定枚数の印刷ごとに行われる。このため、ＣＯ２排出量算出部３３は、メンテナンス動作による消費電力量を、印刷ジョブの印刷枚数に応じて割り当てる。
【００４４】
また、印刷ジョブによる印刷開始前にウォームアップ動作を行う場合、このウォームアップ動作による消費電力量も印刷ジョブにおける消費電力量Ｗに含むものとする。ウォームアップ動作は、印刷部３においてインクジェットヘッドに供給するインクの温度を適温に調整する動作である。
【００４５】
ＣＯ２排出量算出部３３は、上記のように算出した印刷ジョブにおける印刷装置１の消費電力量Ｗに、単位電力量あたりの発電によるＣＯ２排出量を乗算することで、電力消費によるＣＯ２排出量Ｅｐを算出する。
【００４６】
なお、印刷装置１にスキャナ装置や後処理装置が接続されている場合、これらの装置による消費電力量も、印刷ジョブにおける消費電力量Ｗに割り振るようにしてもよい。
【００４７】
また、ＣＯ２排出量算出部３３は、印刷ジョブにおけるインクの消費量を求める。このインクの消費量には、印刷によるインクの消費量と、メンテナンス動作によるインクの消費量とを含む。ＣＯ２排出量算出部３３は、印刷による各色のインクの消費量を、印刷ジョブによる各ページにおける各色の印字率等に基づいて求める。また、メンテナンス動作は、前述のように所定枚数の印刷ごとに行われるため、ＣＯ２排出量算出部３３は、メンテナンス動作による各色のインク消費量を、印刷ジョブの印刷枚数に応じて割り当てる。そして、ＣＯ２排出量算出部３３は、得られた各色のインクの消費量に、インク消費係数テーブル１１の各色のインク消費係数Ｋｃ１をそれぞれ乗算した値を合計して、インクの消費量に対応するＣＯ２排出量Ｅｃ１を算出する。
【００４８】
また、ＣＯ２排出量算出部３３は、印刷ジョブに含まれるページ数および片面／両面印刷モード設定を示す情報から、用紙の消費量（枚数）を求める。また、ＣＯ２排出量算出部３３は、印刷ジョブに含まれる用紙の種類およびサイズを示す情報に応じた用紙消費係数Ｋｃ２を用紙消費係数テーブル１２から取得する。そして、ＣＯ２排出量算出部３３は、用紙の消費量に用紙消費係数Ｋｃ２を乗算して、用紙の消費量に対応するＣＯ２排出量Ｅｃ２を算出する。
【００４９】
また、ＣＯ２排出量算出部３３は、上述のように求めた各色のインクの消費量を合計した値にインク輸送係数Ｋｔ１を乗算して、消耗品であるインクの輸送によるＣＯ２排出量Ｅｔ１を算出する。
【００５０】
また、ＣＯ２排出量算出部３３は、印刷ジョブに含まれる用紙の種類およびサイズを示す情報に応じた用紙輸送係数Ｋｔ２を用紙輸送係数テーブル１３から取得する。そして、ＣＯ２排出量算出部３３は、上述のように求めた用紙の消費量に用紙輸送係数Ｋｔ２を乗算して、消耗品である用紙の輸送によるＣＯ２排出量Ｅｔ２を算出する。
【００５１】
また、ＣＯ２排出量算出部３３は、印刷ジョブに含まれる納品先の顧客名を示す情報と、用紙の種類およびサイズを示す情報とに応じた印刷物納品輸送係数Ｋｔ３および印刷物廃棄輸送係数Ｋｔ４を、印刷物輸送係数テーブル１４から取得する。そして、ＣＯ２排出量算出部３３は、上述のように求めた用紙の消費量と同量である印刷物の枚数に印刷物納品輸送係数Ｋｔ３を乗算して、印刷物の納品のための輸送によるＣＯ２排出量Ｅｔ３を算出する。また、ＣＯ２排出量算出部３３は、印刷物の枚数に印刷物廃棄輸送係数Ｋｔ４を乗算して、印刷物の廃棄のための輸送によるＣＯ２排出量Ｅｔ４を算出する。
【００５２】
そして、ＣＯ２排出量算出部３３は、上述のように算出したＣＯ２排出量Ｅｐ，Ｅｃ１，Ｅｃ２，Ｅｔ１，Ｅｔ２，Ｅｔ３，Ｅｔ４を合計して、ＣＯ２排出量Ｅｕを算出する。また、ＣＯ２排出量算出部３３は、ＣＯ２排出量Ｅｕから、印刷物の所定単位あたりのＣＯ２排出量を算出する。
【００５３】
次いで、ステップＳ３０において、搬送制御部３１は、搬送部２により用紙を順次搬送させ、印刷制御部３２は、搬送される用紙に印刷部３により画像を印刷させる。この際、印刷制御部３２は、印刷物の所定単位あたりのＣＯ２排出量を示すＣＯ２排出量情報を印刷データに付加して用紙に印刷するよう印刷部３を制御する。
【００５４】
そして、ステップＳ４０において、ＣＯ２排出量算出部３３は、ステップＳ２０で算出したＣＯ２排出量Ｅｕに基づき、記憶部４に記憶されている印刷装置１の設置時からのＣＯ２排出量の累積値、および集計期間ごとのＣＯ２排出量を更新する。
【００５５】
一方、ステップＳ１０において、ＣＯ２排出量情報を印刷する設定ではないと判断した場合（ステップＳ１０：ＮＯ）、ステップＳ５０において、ＣＯ２排出量算出部３３は、通常印刷の場合の、印刷ジョブにおける印刷装置１の使用によるＣＯ２排出量Ｅｕを算出する。通常印刷は、ＣＯ２排出量情報を付加しない印刷である。
【００５６】
ステップＳ５０におけるＣＯ２排出量Ｅｕの算出方法は、上述のステップＳ２０と同様であるが、ステップＳ５０では、印刷によるインクの消費量に、ＣＯ２排出量情報の印刷にかかるインクの消費量は含めない。
【００５７】
次いで、ステップＳ６０において、搬送制御部３１は、搬送部２により用紙を順次搬送させ、印刷制御部３２は、搬送される用紙に印刷部３により画像を印刷させる。この際、印刷制御部３２は、ＣＯ２排出量情報を付加しない通常印刷を行うよう印刷部３を制御する。
【００５８】
その後、ステップＳ４０において、ＣＯ２排出量算出部３３は、ステップＳ５０で算出したＣＯ２排出量Ｅｕに基づき、記憶部４に記憶されている設置時からの印刷装置１の使用によるＣＯ２排出量の累積値、および集計期間ごとの印刷装置１の使用によるＣＯ２排出量を更新する。
【００５９】
上記のように、印刷ジョブが実行されると、記憶部４に記憶されている設置時からの印刷装置１の使用によるＣＯ２排出量の累積値、および集計期間ごとの印刷装置１の使用によるＣＯ２排出量が更新される。印刷装置１では、ユーザによる入力部２１の操作に応じて、設置時からの印刷装置１の使用によるＣＯ２排出量の累積値、および集計期間ごとの印刷装置１の使用によるＣＯ２排出量を表示部２２に表示可能である。これにより、ユーザがＣＯ２排出量を認識できる。
【００６０】
以上説明したように、印刷装置１では、印刷装置１の使用によるＣＯ２排出量Ｅｕに、電力消費によるＣＯ２排出量Ｅｐ、消耗品の消費量に対応するＣＯ２排出量に加えて、消耗品の輸送によるＣＯ２排出量、および、印刷物の輸送によるＣＯ２排出量を含む。これにより、印刷装置１の使用によるＣＯ２排出量Ｅｕとして、消耗品および印刷物の輸送によるＣＯ２排出量も考慮した精度の高いＣＯ２排出量を算出できる。ここで、本実施の形態では、インクの消費量に対応するＣＯ２排出量Ｅｃ１、用紙の消費量に対応するＣＯ２排出量Ｅｃ２が、消耗品の消費量に対応するＣＯ２排出量に該当する。また、インクの輸送によるＣＯ２排出量Ｅｔ１、用紙の輸送によるＣＯ２排出量Ｅｔ２が、消耗品の輸送によるＣＯ２排出量に該当する。また、印刷物を顧客に納品するための輸送によるＣＯ２排出量Ｅｔ３、印刷物を廃棄するための輸送によるＣＯ２排出量Ｅｔ４が、印刷物の輸送によるＣＯ２排出量に該当する。
【００６１】
また、印刷装置１では、印刷物の輸送によるＣＯ２排出量として、印刷物の納品のための輸送によるＣＯ２排出量Ｅｔ３と、印刷物の廃棄のための輸送によるＣＯ２排出量Ｅｔ４とを含む。これにより、印刷装置１の使用によるＣＯ２排出量Ｅｕとして、印刷物の使用後の廃棄の段階まで考慮したＣＯ２排出量を算出できる。
【００６２】
また、印刷装置１では、ＣＯ２排出量情報を用紙に印刷することで、容易にユーザにＣＯ２排出量を認識させることができる。
【００６３】
なお、印刷物に関する消耗品として、インク、用紙以外のものを加えてもよい。例えば、印刷時に発色をよくするために用紙に塗布される前処理コート剤、印刷後に光沢を出すために用紙に塗布される後処理コート剤等を消耗品に加えてもよい。また、後処理装置で使用されるステープル、のり等を消耗品に加えてもよい。
【００６４】
また、インク以外の記録材、用紙以外の印刷媒体を消耗品として用いる印刷装置にも本発明は適用可能である。
【００６５】
また、輸送手段ごとのインク輸送係数Ｋｔ１および用紙輸送係数Ｋｔ２の値を用意してもよい。また、顧客ごとに、輸送手段ごとの印刷物納品輸送係数Ｋｔ３および印刷物廃棄輸送係数Ｋｔ４の値をそれぞれ用意してもよい。この場合、ユーザがどの輸送手段を用いるかを指定し、ＣＯ２排出量算出部３３は、指定された輸送手段に応じてインク輸送係数Ｋｔ１、用紙輸送係数Ｋｔ２、印刷物納品輸送係数Ｋｔ３、印刷物廃棄輸送係数Ｋｔ４をそれぞれ選択して用いる。ここで、輸送手段は、輸送のために用いる交通手段であり、２つ以上の交通手段の組み合せも含む。交通手段としては、トラック（自動車）、鉄道、船舶、航空機等がある。
【００６６】
また、輸送に関するＣＯ２排出量において、消耗品の輸送によるＣＯ２排出量、および印刷物の輸送によるＣＯ２排出量のいずれかを省略してもよい。
【００６７】
本発明は上記実施の形態そのままに限定されるものではなく、実施段階ではその要旨を逸脱しない範囲で構成要素を変形して具体化できる。また、上記実施の形態に開示されている複数の構成要素の適宜な組み合せにより、種々の発明を形成できる。例えば、実施の形態に示される全構成要素から幾つかの構成要素を削除してもよい。
【符号の説明】
【００６８】
１  印刷装置
２  搬送部
３  印刷部
４  記憶部
５  操作パネル部
６  電力供給部
７  制御部
１１  インク消費係数テーブル
１２  用紙消費係数テーブル
１３  用紙輸送係数テーブル
１４  印刷物輸送係数テーブル
３１  搬送制御部
３２  印刷制御部
３３  ＣＯ２排出量算出部
３４  電力制御部
【図１】
2013151076.tif 000003
【図２】
2013151076.tif 000004
【図３】
2013151076.tif 000005
【図４】
2013151076.tif 000006
【図５】
2013151076.tif 000007
【図６】
2013151076.tif 000008